(57)【要約】【課題】少ない労力でより汎用的に傾きを変更して画像を投写することが可能なプロジェクタを提供すること。【解決手段】プロジェクタ１００が、光源１１２と、光源１１２からの光を入射して画像を投写する投写ユニット１２０と、前記光の光路を回転軸として投写ユニット１２０を回転駆動する駆動部１８０とを含んで構成される。【選択図】図３
2008185713.tif 000002
【特許請求の範囲】
【請求項１】
光源と、
当該光源からの光を入射して画像を投写する投写ユニットと、
前記光の光路を回転軸として前記投写ユニットを回転駆動する駆動部と、
を含むことを特徴とするプロジェクタ。
【請求項２】
請求項１に記載のプロジェクタにおいて、
前記光源からの光を前記投写ユニットに導く前記光路として機能する導光部を含むことを特徴とするプロジェクタ。
【請求項３】
請求項１、２のいずれかに記載のプロジェクタにおいて、
前記駆動部による回転駆動に応じて画像の歪みを補正する補正部を含むことを特徴とするプロジェクタ。
【発明の詳細な説明】
【技術分野】
【０００１】
本発明は、プロジェクタに関する。
【背景技術】
【０００２】
例えば、より上の位置に投写する場合、ユーザーは、光軸を上げるようにプロジェクタ全体を傾ける必要があった。しかし、プロジェクタは比較的重いため、ユーザーにとって力が必要になり、調整しづらい場合があった。
【０００３】
このような問題を解決する手法として、投写ユニットのみを傾ける手法が考えられる。例えば、特開平７−２０５７４号公報では、投写ユニットのみを傾ける手法が記載されている。
【特許文献１】特開平７−２０５７４号公報
【発明の開示】
【発明が解決しようとする課題】
【０００４】
しかし、特開平７−２０５７４号公報に記載されたプロジェクタは、いわゆるＣＲＴ（Cathode Ray Tube）プロジェクタであり、特開平７−２０５７４号公報の手法は汎用性に欠ける。
【０００５】
本発明の目的は、少ない労力でより汎用的に傾きを変更して画像を投写することが可能なプロジェクタを提供することにある。
【課題を解決するための手段】
【０００６】
上記課題を解決するため、本発明に係るプロジェクタは、光源と、当該光源からの光を入射して画像を投写する投写ユニットと、前記光の光路を回転軸として前記投写ユニットを回転駆動する駆動部と、を含むことを特徴とする。
【０００７】
本発明によれば、プロジェクタは、投写ユニットのみを回転駆動することができるため、少ない労力で傾きを変更して画像を投写することができる。また、本発明によれば、プロジェクタは、光の光路を回転軸として投写ユニットを回転駆動することにより、プロジェクタの種別によらずに汎用的に傾きを変更して画像を投写することができる。
【０００８】
また、前記プロジェクタは、前記光源からの光を前記投写ユニットに導く前記光路として機能する導光部を含んでもよい。
【０００９】
これによれば、プロジェクタは、導光部によって光を投写ユニットに導くことにより、光源を自由な位置に配置することができるため、より汎用的に傾きを変更して画像を投写することができる。
【００１０】
また、前記プロジェクタは、前記駆動部による回転駆動に応じて画像の歪みを補正する補正部を含んでもよい。
【００１１】
これによれば、プロジェクタは、投写ユニットが傾くことによって画像に歪みが発生する場合であっても、当該歪みを適切に補正することができる。
【発明を実施するための最良の形態】
【００１２】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１３】
（第１の実施例）
図１は、第１の実施例における通常時のプロジェクタ１００の正面図である。また、図２は、第１の実施例における傾斜時のプロジェクタ１００の側面図である。
【００１４】
本実施例におけるプロジェクタ１００は、投写レンズ１７２を含む投写ユニット１２０を有し、投写ユニット１２０を回転駆動することによって投写ユニット１２０を傾け、投写光の光軸の角度を変えて投写することができるように形成されている。
【００１５】
次に、プロジェクタ１００の内部構造についてより詳細に説明する。図３は、第１の実施例におけるプロジェクタ１００の模式的な平面図である。プロジェクタ１００は、光源１１２を有する照明光学系１１０と、投写ユニット１２０と、光源１１２からの光を投写ユニット１２０に導く導光部１４０と、投写ユニット１２０を回転駆動する駆動部１８０と、当該回転駆動に応じて画像の歪みを補正する補正部１９０とを含んで構成されている。
【００１６】
投写ユニット１２０は、ダイクロイックミラー１２１、１２２と、反射ミラー１２３〜１２５と、フィールドレンズ１３０と、偏光板１５１、１５３と、液晶パネル１５２と、クロスダイクロイックプリズム１６０と、投写光学系１７０とを含んで構成されている。
【００１７】
ダイクロイックミラー１２１、１２２は、導光部１４０から射出された複数の部分光束を赤、緑、青の３色の色光に分離する機能を有している。この際、ダイクロイックミラー１２１では、照明光学系１１０から射出された光束の青色光成分と緑色光成分とが透過されるとともに、赤色光成分が反射される。ダイクロイックミラー１２１によって反射された赤色光は、反射ミラー１２４によって反射され、フィールドレンズ１３０−１を通って偏光板１５１−１で偏光方向が揃えられた後、赤色光用の液晶パネル１５２−１に達する。
【００１８】
フィールドレンズ１３０−１は、反射ミラー１２４から射出された各部分光束をその中心軸（主光線）に対して平行な光束に変換する。他の液晶パネル１５２−２、１５２−３の光入射側に設けられたフィールドレンズ１３０−２、１３０−３も同様である。
【００１９】
ダイクロイックミラー１２１を透過した緑色光は、ダイクロイックミラー１２２によって反射され、フィールドレンズ１３０−２を通って偏光板１５１−２によって偏光方向が揃えられた後、緑色光用の液晶パネル１５２−２に達する。一方、ダイクロイックミラー１２１を透過した青色光は、反射ミラー１２３、１２５によって反射され、フィールドレンズ１３０−３を通って偏光板１５１−３によって偏光方向が揃えられた後、青色光用の液晶パネル１５２−３に達する。
【００２０】
液晶パネル１５２−１、１５２−２、１５２−３は、例えば、ポリシリコンＴＦＴをスイッチング素子として用いたものであり、ダイクロイックミラー１２１、１２２で分離された各色光は、各液晶パネル１５２と液晶パネル１５２の光束入射側にある偏光板１５１および射出側にある偏光板１５３によって、画像情報に応じて変調されて光学像を形成する。
【００２１】
クロスダイクロイックプリズム１６０は、３枚の液晶パネル１５２−１、１５２−２、１５２−３から射出された色光毎に変調された画像を合成してカラー画像を形成するものである。なお、クロスダイクロイックプリズム１６０には、赤色光を反射する誘電体多層膜と青色光を反射する誘電体多層膜とが、４つの直角プリズムの界面に沿ってほぼＸ字状に形成され、これらの誘電体多層膜によって３つの色光が合成される。そして、クロスダイクロイックプリズム１６０で合成されたカラー画像は、投写レンズ１７２を有する投写光学系１７０から射出され、スクリーン２００に投写される。
【００２２】
また、導光部１４０は、反射ミラー１４２を有し、光源１１２からの光を反射ミラー１４２で反射してダイクロイックミラー１２１に射出するように形成されている。また、駆動部１８０は、導光部１４０からダイクロイックミラー１２１に射出される光の光路を回転軸として投写ユニット１２０を回転可能に形成されている。駆動部１８０は、例えば、ギア、モーター、ＣＰＵ等で構成され、駆動方式は電動であってもよいし、手動であってもよい。
【００２３】
また、補正部１９０は、投写光の光軸が傾くことによって発生する画像の歪み（いわゆる台形歪み）を補正する。なお、画像の歪みを補正する手法は、一般的に用いられている種々の手法を採用可能であり、画像信号の補正等のソフトウェア的な補正手法であってもよいし、ハードウェア的な補正手法であってもよい。
【００２４】
例えば、ユーザーは、ボタン操作や手動によって投写ユニット１２０を上に傾け、スクリーン２００における画像の位置を調整することができる。
【００２５】
以上のように、本実施例によれば、プロジェクタ１００は、電源ユニットや光源１１２等を含まない投写ユニット１２０のみを回転駆動することができるため、ユーザーは、少ない労力で傾きを変更して画像を投写することができる。また、本実施例によれば、プロジェクタ１００は、光の光路を回転軸として投写ユニット１２０を回転駆動することにより、プロジェクタ１００の種別によらずに汎用的に傾きを変更して画像を投写することができる。
【００２６】
また、本実施例によれば、プロジェクタ１００は、導光部１４０によって光を投写ユニット１２０に導くことにより、光源１１２を自由な位置に配置することができるため、より汎用的に傾きを変更して画像を投写することができる。
【００２７】
さらに、本実施例によれば、プロジェクタ１００は、投写ユニット１２０の駆動に応じて画像の歪みを補正することにより、投写ユニット１２０が傾くことによって画像に歪みが発生する場合であっても、当該歪みを適切に補正することができる。
【００２８】
（第２の実施例）
第１の実施例では、プロジェクタ１００は、導光部１４０を有しているが、導光部１４０は必須ではない。図４は、第２の実施例におけるプロジェクタ１０１の模式的な平面図である。
【００２９】
例えば、光源１１２から投写ユニット１２０に直線的に光が射出される照明光学系１１１を有するプロジェクタ１０１の場合、導光部１４０は不要である。このような場合であっても、駆動部１８０は、投写ユニット１２０に射出される光の光路を回転軸として投写ユニット１２０を回転駆動することにより、ユーザーは、第１の実施例と同様に、少ない労力でより汎用的に傾きを変更して画像を投写することができる。
【００３０】
（その他の実施例）
なお、本発明の適用は上述した実施例に限定されず、種々の変形が可能である。例えば、導光部１４０として、光ファイバーを用いてもよい。これによれば、光ファイバーは、曲げられることが可能であるため、光源１１２がより自由な位置に配置されることができる。
【００３１】
また、上述した実施例では、投写ユニット１２０を上下方向に回転駆動しているが、例えば、上下以外の方向（例えば、左右方向等）に回転駆動してもよいし、回転させずにスライドさせて駆動してもよい。
【００３２】
また、プロジェクタ１００は、液晶パネルを用いたプロジェクタには限定されず、例えば、光変調器としてＤＭＤ（Digital Micromirror Device）を用いたプロジェクタ等であってもよい。なお、ＤＭＤは米国テキサスインスツルメンツ社の商標である。また、プロジェクタ１００は、３板式の液晶プロジェクタであったが、単板式の液晶プロジェクタであってもよい。
【図面の簡単な説明】
【００３３】
【図１】第１の実施例における通常時のプロジェクタの正面図である。
【図２】第１の実施例における傾斜時のプロジェクタの側面図である。
【図３】第１の実施例におけるプロジェクタの模式的な平面図である。
【図４】第２の実施例におけるプロジェクタの模式的な平面図である。
【符号の説明】
【００３４】
１００、１０１  プロジェクタ、１１０、１１１  照明光学系、１１２  光源、１２０  投写ユニット、１２１、１２２  ダイクロイックミラー、１２３〜１２５、１４２  反射ミラー、１３０  フィールドレンズ、１４０  導光部、１５１、１５３  偏光板、１５２  液晶パネル、１６０  クロスダイクロイックプリズム、１７０  投写光学系、１７２  投写レンズ、１８０  駆動部、１９０  補正部、２００  スクリーン
【図１】
2008185713.tif 000003
【図２】
2008185713.tif 000004
【図３】
2008185713.tif 000005
【図４】
2008185713.tif 000006